(57)【特許請求の範囲】
【請求項１】
出入口の側縁部を形成する枠体と、表面が上記枠体に空隙を形成して対向して配置されて上記出入口を開閉する引き戸と、上記出入口の下縁部を形成し上記引き戸の下端面に対向して配置され、長手に直交する鉛直断面において上面に上記引き戸の裏面側が上昇する傾斜面を構成した敷居と、上記引き戸の下端に装着されて下面が上記敷居の傾斜面に少ない隙間を形成して配置された戸の脚と、上記引き戸の表面及びこの表面に対向した上記枠体面の両者の一方に装着されて上記両者の他方に少ない隙間を形成して対向して配置された案内子とを備えたエレベーター出入口装置。
【請求項２】
引き戸を、敷居の傾斜面と平行に形成されて上記傾斜面から上方に離れた位置に配置された下端面を有するものとしたことを特徴とする請求項１記載のエレベーター出入口装置。
【発明の詳細な説明】
【０００１】
【発明の属する技術分野】
この発明は、昇降路の乗場等に設けられた出入口を引き戸によって開閉するエレベーター出入口装置に関する。
【０００２】
【従来の技術】
図３〜図５は、従来のエレベーター出入口装置を示す図で、図３はエレベーター乗場の正面図、図４は図３のＡ−Ａ線断面図、図５は図４の下端部の拡大図である。図において、１はエレベーターの乗場、２は乗場１の出入口、３は出入口２の側縁部を形成する枠体、４は出入口２を開閉する引き戸で、二枚両引き戸からなり表面が枠体３の裏面側に空隙を形成して対向して配置され、互いに反対方向へ動作して出入口２を開閉する。
【０００３】
５は敷居で、出入口２の下縁部を形成し引き戸４の下端面に対向して設けられ、長手が引き戸４の開閉工程に対応して配置されて上面の長手に敷居溝６が凹設されている。７は戸の脚で、取付部が締結具８によって引き戸４の下端部に締結され案内部が敷居溝６に移動可能に嵌合されている。９は出入口２の上縁部に設けられて引き戸４の上端部に連結された開閉機構で、要時に付勢されて引き戸４を開閉駆動する。
【０００４】
従来のエレベーター出入口装置は上記のように構成され、引き戸４は上端部が開閉機構９の案内レール（図示しない）に案内される吊り手によって吊持され、また敷居５の案内溝６に移動可能に嵌合した戸の脚７が下端に設けられて、戸の脚７を介して敷居５の案内溝６によって案内される。そして、開閉機構９が付勢されると開閉機構９の動作によって、引き戸４が駆動されて出入口２を開閉するようになっている。
【０００５】
【発明が解決しようとする課題】
上記のような従来のエレベーター出入口装置では、引き戸４が戸開している状態で、敷居５の案内溝６に異物が入り込むことがある。このような場合に戸開している引き戸４の戸閉動作が、案内溝６内の異物によって阻止されることがある。このときには引き戸４が全閉しないのでエレベーターの運転ができなくなるという問題点があった。また、出入口２を出入する乗客が敷居５の案内溝６につまずく恐れがあるのでこれを未然に防ぐ必要がある。
【０００６】
この発明は、かかる問題点を解消するためになされたものであり、案内溝なしの敷居によって出入口下縁部が構成されたエレベーター出入口装置を得ることを目的とする。
【０００７】
【課題を解決するための手段】
この発明に係るエレベーター出入口装置においては、出入口の側縁部を形成する枠体と、表面が出入口の枠体に空隙を形成して対向して配置されて出入口を開閉する引き戸と、出入口の下縁部を形成し引き戸の下端面に対向して配置され、長手に直交する鉛直断面において上面に引き戸の裏面側が上昇する傾斜面を構成した敷居と、引き戸の下端に装着されて下面が敷居の傾斜面に少ない隙間を形成して配置された戸の脚と、引き戸の表面及びこの表面に対向した枠体面の両者の一方に装着されて上記両者の他方に少ない隙間を形成して対向して配置された案内子とが設けられる。
【０００８】
また、この発明に係るエレベーター出入口装置においては、敷居の傾斜面と平行に形成されて傾斜面から上方に離れた位置に配置された下端面を有する引き戸が設けられる。
【０００９】
【発明の実施の形態】
実施の形態１．
図１は、この発明の実施の形態の一例を示す図で、前述の図５相当図である。なお、図１の他は前述の図３〜図５と同様にエレベーター出入口装置が構成されている。図において、１はエレベーターの乗場、２は乗場１の出入口、３は出入口２の側縁部を形成する枠体、４は出入口２を開閉する引き戸で、二枚両引き戸からなり表面が枠体３の裏面に空隙を形成して対向して配置され、互いに反対方向へ動作して出入口２を開閉する。
【００１０】
１０は敷居で、出入口２の下縁部を形成し引き戸４の下端面に対向して設けられ、長手が引き戸４の開閉工程に対応して配置されて、長手に直交する鉛直断面における上面に引き戸４の裏面側が上昇する傾斜面１１が構成されている。１２は戸の脚で、取付部が締結具８によって引き戸４の下端部に締結され案内部の低摩擦物質製の下面１３が敷居１０の傾斜面１１に少ない隙間を形成して配置されている。１４は低摩擦物質製の案内子で、引き戸４の表面に対向した枠体３面に装着されて引き戸４の表面に少ない隙間を形成して対向して配置されている。
【００１１】
上記のように構成されたエレベーター出入口装置において、引き戸４は上端部が開閉機構９の案内レール（図示しない）に案内される吊り手によって吊持され、また下端の戸の脚１２が敷居１０の傾斜面１１に少ない隙間を形成して対向する。そして、開閉機構９が付勢されると開閉機構９の動作によって引き戸４が駆動されて出入口２を開閉する。
【００１２】
また、引き戸４に表面側からの押圧荷重が作用すると、戸の脚１２の下面１３が敷居１０の傾斜面１１に接触することによって表面側からの押圧荷重が支持される。反対に引き戸４に裏面側からの押圧荷重が作用すると、引き戸４の表面が枠体３の案内子１４に接触することによって裏面側からの押圧荷重が支持される。このようにして、引き戸４に表面側、裏面側から押圧荷重が作用した場合に、敷居１０の傾斜面１１又は案内子１４によって引き戸４が支持されて正常位置に保持される。
【００１３】
したがって、敷居５に前述の戸の脚７が嵌合した案内溝６を設けなくても、引き戸４が枠体３に対する所定位置から逸脱することがない。また、敷居１０の傾斜面１１、案内子１４が低摩擦物質製であるので、引き戸４に裏面側又は表面側押圧荷重が作用して案内子１４に引き戸４が押し付けられるか、又は戸の脚１２の下面１３が敷居１０の傾斜面１１に押し付けられた状態であっても少ない摩擦抵抗によって引き戸４を開閉することができる。
【００１４】
また、敷居１０において前述の案内溝６が省略されるので、引き戸４の戸開している状態で、案内溝６に異物が入り込むことがなく、戸開している引き戸４の戸閉動作が案内溝６内の異物によって阻止される不具合の発生を未然に防ぐことができる。そして、案内溝６に入り込んだ異物によって引き戸４が全閉せずエレベーターが運転不能になる故障の発生を防止することができる。
【００１５】
また、敷居１０において前述の案内溝６が省略されるので、出入口２を出入する乗客が案内溝６につまずく恐れがなく、容易に出入口２を出入することができる。なお、案内子１４を、引き戸４の表面及びこの表面に対向した枠体３面の両者の一方に装着し、上記両者の他方に少ない隙間を形成して対向して配置した構成であっても、引き戸４に裏面側押圧荷重等が作用した場合に案内子１４等によって引き戸４が支持される。これによって、引き戸４を枠体３に対する正常位置に保持することができる。
【００１６】
実施の形態２．
図２は、この発明の他の実施の形態の一例を示す図で、前述の図５相当図である。なお、図２の他は前述の図３〜図５と同様にエレベーター出入口装置が構成されている。図において、前述の図１と同符号は相当部分を示し、１５は引き戸で、下端面が敷居１０の傾斜面１１と平行に形成されて傾斜面１１から上方に離れた位置に配置されている。１６は戸の脚で、取付部が締結具８によって引き戸１５の下端部に締結され案内部の低摩擦物質製の下面１３が敷居１０の傾斜面１１に少ない隙間を形成して配置されている。
【００１７】
上記のように構成されたエレベーター出入口装置においても、前述の図１の実施の形態と同様に引き戸１５が開閉動作する。そして、戸の脚１６の下面１３が敷居１０の傾斜面１１に接触することによって引き戸４の表面側押圧荷重が支持され、また引き戸４の表面が枠体３の案内子１４に接触することによって引き戸４の裏面側押圧荷重が支持される。
【００１８】
したがって、詳細な説明を省略するが図２の実施の形態においても図１の実施の形態と同様な作用が得られる。また、引き戸１５の下端面が敷居１０の傾斜面１１に沿う形状に形成される。このため、引き戸１５下端と敷居１０上面との間の隙間が少なくなるので、引き戸４において表面側からの見栄えをよくすることができる。
【００１９】
【発明の効果】
この発明は以上説明したように、出入口の側縁部を形成する枠体と、表面が出入口の枠体に空隙を形成して対向して配置されて出入口を開閉する引き戸と、出入口の下縁部を形成し引き戸の下端面に対向して配置され、長手に直交する鉛直断面において、上面に引き戸の裏面側が上昇する傾斜面を構成した敷居と、引き戸の下端に装着されて下面が敷居の傾斜面に少ない隙間を形成して配置された戸の脚と、引き戸の表面及びこの表面に対向した枠体面の両者の一方に装着されて上記両者の他方に少ない隙間を形成して対向して配置された案内子とを設けたものである。
【００２０】
これによって、出入口を開閉する引き戸に表面側からの押圧荷重が作用すると、戸の脚の下面が敷居の傾斜面に接触することによって表面側からの押圧荷重が支持される。また、引き戸に裏面側からの押圧荷重が作用すると、引き戸の表面及び枠体の両者の一方に設けられた案内子が他方に接触することによって裏面側からの押圧荷重が支持される。このようにして、引き戸に表面側、裏面側から押圧荷重が作用した場合に、敷居の傾斜面又は案内子によって引き戸が支持されて正常位置に保持される。したがって、引き戸が枠体に対する所定位置から逸脱することがなく、敷居の案内溝が省略されて戸開している引き戸の戸閉動作が案内溝に入り込んだ異物によって阻止される不具合の発生を未然に防ぐことができる。そして、案内溝に入り込んだ異物によって引き戸が全閉せずエレベーターが運転不能になる故障の発生を防止する効果がある。
【００２１】
また、この発明は以上説明したように、敷居の傾斜面と平行に形成されて、敷居の傾斜面から上方に離れた位置に配置された下端面を有する引き戸を設けたものである。
【００２２】
これによって、引き戸の下端面が敷居の傾斜面に沿う形状に形成されるので、引き戸下端と敷居上面との間の隙間が少なくなる。したがって、引き戸４の表面側からの見栄えをよくする効果がある。
【図面の簡単な説明】
【図１】  この発明の実施の形態１を示す図で、後述する図５相当図。
【図２】  この発明の実施の形態２を示す図で、後述する図５相当図。
【図３】  従来のエレベーター出入口装置を示す図で、エレベーター乗場の正面図。
【図４】  図３のＡ−Ａ線断面図。
【図５】  図４の下端部の拡大図。
【符号の説明】
２  出入口、  ３  枠体、  ４  引き戸、  １０  敷居、  １１  傾斜面、  １２  戸の脚、  １３  下面、  １４  案内子、  １５  引き戸。
【図１】
0004606609.tif 000002
【図２】
0004606609.tif 000003
【図３】
0004606609.tif 000004
【図４】
0004606609.tif 000005
【図５】
0004606609.tif 000006